(57)【要約】【課題】  芳香材から放出される香りの強さを調整可能として、各乗員がその好みに合わせて上記香りを実感できるようにし、かつ、調整が容易にできるようにする。【解決手段】  車室８のいずれかの部位に、香りを放出する芳香材２５を設ける。芳香材２５の近傍にランプ２７を設置し、このランプ２７の照射光２９を車室８の乗員により視認可能にする。車室８を形成する車体部材２３を車室８側から覆うと共に芳香材２５が取り付けられる化粧パネル２４を設ける。車体部材２３と化粧パネル２４との間の空間２６にランプ２７を設置する。【選択図】  図１
2006273210.tif 000002
【特許請求の範囲】
【請求項１】
車室のいずれかの部位に、香りを放出する芳香材を設けた自動車における芳香装置において、
上記芳香材の近傍にランプを設置し、このランプの照射光を車室の乗員により視認可能にしたことを特徴とする自動車における芳香装置。
【請求項２】
上記車室を形成する車体部材を車室側から覆うと共に上記芳香材が取り付けられる化粧パネルを設け、上記車体部材と化粧パネルとの間の空間に上記ランプを設置したことを特徴とする請求項１に記載の自動車における芳香装置。
【発明の詳細な説明】
【技術分野】
【０００１】
本発明は、車室内に香りを放出可能とする自動車における芳香装置に関するものである。
【背景技術】
【０００２】
上記自動車における芳香装置には、従来、下記特許文献１，２に示されるものがある。これら公報のものによれば、自動車における芳香装置は、車室のいずれかの部位に、香りを放出可能とする芳香材が設置されている。そして、この芳香材が車室内に香りを徐々に放出することによって、車室における乗員がその香りを実感することにより、居住性が高められるようになっている。
【０００３】
【特許文献１】特開平９−１１４３７８号公報
【特許文献２】特開２０００−６２５１１号公報
【発明の開示】
【発明が解決しようとする課題】
【０００４】
ところで、上記従来の技術では、芳香材は単に車室に設置されているだけのため、この芳香材から放出される香りの強さはほぼ一定に保たれる。
【０００５】
しかし、乗員には、それぞれに好みがあるため、ある乗員にとっては、上記香りを十分には実感できないという問題点がみられた。
【０００６】
そこで、例えば、上記芳香材を加熱して、放出される香りの強さが乗員の好みに合致するよう、上記香りの強さを調整することが考えられる。しかし、香りは視認が困難なものであるため、上記調整は容易にはできないという問題点もある。
【課題を解決するための手段】
【０００７】
本発明は、上記のような事情に注目してなされたもので、本発明の目的は、芳香材から放出される香りの強さを調整可能として、各乗員がその好みに合わせて上記香りを実感できるようにし、かつ、上記調整が容易にできるようにすることである。
【０００８】
請求項１の発明は、車室８のいずれかの部位に、香りを放出する芳香材２５を設けた自動車における芳香装置において、
上記芳香材２５の近傍にランプ２７を設置し、このランプ２７の照射光２９を車室８の乗員により視認可能にしたものである。
【０００９】
請求項２の発明は、請求項１の発明に加えて、上記車室８を形成する車体部材２３を車室８側から覆うと共に上記芳香材２５が取り付けられる化粧パネル２４を設け、上記車体部材２３と化粧パネル２４との間の空間２６に上記ランプ２７を設置したものである。
【００１０】
なお、この項において、上記各用語に付記した符号は、本発明の技術的範囲を後述の「実施例」の項や図面の内容に限定解釈するものではない。
【発明の効果】
【００１１】
本発明による効果は、次の如くである。
【００１２】
請求項１の発明は、車室のいずれかの部位に、香りを放出する芳香材を設けた自動車における芳香装置において、
上記芳香材の近傍にランプを設置し、このランプの照射光を車室の乗員により視認可能にしている。
【００１３】
このため、乗員が香りを実感しようとするときには、上記ランプを点灯させ、その照射光の熱により、上記芳香材から香りを積極的に放出させるようにすればよい。そして、上記ランプの点灯期間などを調整すれば、上記香りの強さが調整可能とされて、各乗員はその好みに合わせて上記香りを実感できる。
【００１４】
また、上記したように、ランプの照射光は車室の乗員により視認可能とされている。
【００１５】
ここで、上記芳香材から香りが放出されているか否かの判断を直接の視認によりすることは困難である。しかし、この判断は、上記ランプの照射光の有無などを視認することによって容易にできる。よって、実感しようとする香りの強さを調整しようとする場合、この香りの調整は、上記ランプの照射光の視認によって容易にできる。
【００１６】
請求項２の発明は、上記車室を形成する車体部材を車室側から覆うと共に上記芳香材が取り付けられる化粧パネルを設け、上記車体部材と化粧パネルとの間の空間に上記ランプを設置している。
【００１７】
このため、上記車室からランプが直接見えることは、上記化粧パネルにより抑制され、よって、車室の見栄えが良好なままに保たれる。
【００１８】
また、上記車室から見た化粧パネルの面積は大きくできる。このため、単位量の上記芳香材から放出される香りは、わずかであるとしても、上記化粧パネルに多くの芳香材を取り付けることができる。よって、この芳香材から十分の香りを放出させることができる。
【発明を実施するための最良の形態】
【００１９】
本発明の自動車における芳香装置に関し、芳香材から放出される香りの強さを調整可能として、各乗員がその好みに合わせて上記香りを実感できるようにし、かつ、上記調整が容易にできるようにする、という目的を実現するため、本発明を実施するための最良の形態は、次の如くである。
【００２０】
即ち、車室のいずれかの部位に、香りを放出する芳香材を設ける。この芳香材の近傍にランプを設置し、このランプの照射光を車室の乗員により視認可能にする。
【実施例】
【００２１】
本発明をより詳細に説明するために、その実施例を添付の図に従って説明する。
【００２２】
図において、符号１は自動車で、矢印Ｆｒは、この自動車１の進行方向の前方を示している。
【００２３】
自動車１の車体２は、この車体２前部の骨格部材をなして縦方向に延びる左右一対のフロントピラー３と、これらフロントピラー３の上端部に支持されるルーフ４と、上記左右フロントピラー３の下部同士の間に架設されるダッシュパネル５と、上記左右フロントピラー３、ルーフ４の前縁部、およびダッシュパネル５の上縁部で囲まれた部分に設けられるフロントウィンド６と、上記各フロントピラー３の後側に設けられるサイドドア７とを備えている。そして、上記各部材３−７で囲まれた空間が車室８とされている。
【００２４】
上記ダッシュパネル５の上部には、樹脂製のインスツルメントパネル９が取り付けられ、このインスツルメントパネル９は、上記車室８の前端部に配置されている。上記インスツルメントパネル９は、図示しないが、ランプを常備したメータ表示盤を備えており、このメータ表示盤は、車室８の前部における運転者などの乗員の顔の前下方で、この顔の近くに位置している。
【００２５】
上記フロントピラー３は板金製で、アウタパネル１０とインナパネル１１とを互いに接合させた閉断面構造とされている。上記フロントウィンド６は、上記左右フロントピラー３、ルーフ４の前縁部、およびダッシュパネル５の上縁部で囲まれたウィンド開口１３を閉じるよう設けられるウィンドガラス１４と、上記ウィンド開口１３の開口縁に取り付けられ、このウィンド開口１３の開口縁とウィンドガラス１４の外縁部との間をシールするゴム製のウェザーストリップ１５とを備えている。
【００２６】
上記サイドドア７は、上記フロントピラー３の後側に形成されたドア開口１７を開閉可能に閉じるドア本体１８と、上記ドア開口１７の開口縁に取り付けられ、このドア開口１７の開口縁とドア本体１８の外縁部との間をシールするゴム製の他のウェザーストリップ１９とを備えている。
【００２７】
上記車室８に香りを放出可能とする芳香装置２２が設けられている。この芳香装置２２は、上記車室８を形成した車体部材２３である上記フロントピラー３を車室８側から全体的に覆う化粧パネル２４と、この化粧パネル２４に取り付けられて香りを放出する芳香材２５と、上記フロントピラー３と化粧パネル２４との間の空間２６に配置されて、上記フロントピラー３に着脱可能に取り付けられるランプ２７と、このランプ２７への電力の供給をオン、オフ可能とするスイッチ２８とを備えている。
【００２８】
上記化粧パネル２４は不図示の取付具により、上記フロントピラー３に着脱可能に取り付けられている。また、上記化粧パネル２４の断面形状は、車室８に向かって凸形状の円弧形状とされ、その各端部はそれぞれ上記各ウェザーストリップ１５，１９に圧接させられて、その各圧接部はシールされている。また、上記化粧パネル２４は厚さが薄くされて、半透明とされている。
【００２９】
上記芳香材２５は、香りを放出する合成油もしくは天然油である。この芳香材２５は樹脂材料と混合されてペレットとされ、このペレットにより、上記化粧パネル２４が射出成形されている。上記芳香材２５は化粧パネル２４の内部に均一に分散され、この化粧パネル２４の樹脂材を通して車室８に香りを放出する。
【００３０】
上記芳香材２５の香りの種類は、例えば、桃、レモン、ヒノキ等の香りである。これら種々の香りを放出する複数の化粧パネル２４が自動車１に準備される。そして、これら化粧パネル２４のうちから、乗員の所望の香りの者が選択されて、上記フロントピラー３に着脱可能に取り付けられる。
【００３１】
上記化粧パネル２４に取り付けられた芳香材２５の近傍に上記ランプ２７が設置されている。また、上記車室８における運転手など乗員の操作範囲に上記スイッチ２８が設置されている。このスイッチ２８は、例えば、上記インスツルメントパネル９に設置される。上記スイッチ２８へのオン、オフ操作により、上記ランプ２７が点灯、消灯される。このランプ２７は、光源としてタングステンのフィラメントを備えている。
【００３２】
上記構成によれば、乗員が香りを実感しようとするときには、上記スイッチ２８を操作してランプ２７を点灯させ、その照射光２９の熱により、上記芳香材２５から香りを積極的に放出させるようにすればよい。そして、上記スイッチ２８の点灯期間や、光度（低、中、高）を調整し、つまり、加熱の状態を調整すれば、放出される香りの量が調整されることにより、その強さが調整可能とされる。よって、各乗員はその好みに合わせて上記香りを実感できる。
【００３３】
また、上記ランプ２７の照射光２９は、上記化粧パネル２４を透過することにより、車室８の乗員により視認可能とされている。
【００３４】
ここで、上記芳香材２５から香りが放出されているか否かの判断を直接の視認によりすることは困難である。しかし、この判断は、上記ランプ２７の照射光２９の有無や、光度を視認することによって容易にできる。よって、実感しようとする香りの強さを調整しようとする場合、この香りの調整は、上記ランプ２７の照射光２９の視認によって容易にできる。
【００３５】
また、前記したように、車室８を形成する車体部材２３を車室８側から覆うと共に上記芳香材２５が取り付けられる化粧パネル２４を設け、上記車体部材２３と化粧パネル２４との間の空間２６に上記ランプ２７を設置している。
【００３６】
このため、上記車室８からランプ２７が直接見えることは、半透明とされた上記化粧パネル２４により、より確実に抑制され、よって、車室８の見栄えが良好なままに保たれる。
【００３７】
また、上記車室８から見た化粧パネル２４の面積は大きくできる。このため、単位量の上記芳香材２５から放出される香りは、わずかであるとしても、上記化粧パネル２４に多くの芳香材２５を取り付けることができる。よって、この芳香材２５から十分の香りを放出させることができる。
【００３８】
また、上記したように、化粧パネル２４は半透明とされており、上記ランプ２７の照射光２９は、光が分散させられながら上記化粧パネル２４を透過して車室８に達することとされている。
【００３９】
このため、上記化粧パネル２４を透過した照射光２９により、上記化粧パネル２４やランプ２７の周りを間接照明でき、これは、乗員にとって、リラクゼーション効果を生じさせるものであって好ましい。また、上記したように、化粧パネル２４を透過した照射光２９により、この照射光２９が化粧パネル２４の車室８側の面にほのかに映し出されることによるイルミネーション効果も生じる。
【００４０】
なお、図１中、二点鎖線で示すように、上記化粧パネル２４に代えて、もしくは、この化粧パネル２４と共に他の化粧パネル３１を設け、この化粧パネル３１に芳香材２５を取り付けてもよい。この化粧パネル３１は、上記ランプ２７の周りで、上記フロントピラー３の車室８側の面に近接配置される。ここで、上記両化粧パネル２４，３１を共に設ける場合には、上記化粧パネル２４に通気孔３２が形成される。上記各化粧パネル２４，３１から上記空間２６に放出された香りは、上記通気孔３２を通って、車室８に放出される。
【００４１】
なお、以上は図示の例によるが、上記芳香材２５は、ランプを常備した前記メータ表示盤に取り付けてもよい。このメータ表示盤は乗員の顔の近くに位置しているため、この乗員は、上記芳香材２５からの香りをより確実に実感できる。また、上記芳香材２５は、上記ドア本体１８の車室８側の面に取り付けられる不図示のドアランプの近傍に設けてもよい。また、上記芳香材２５をサンバイザーやインナミラーに取り付け、これらの内部にランプ２７を設けてもよい。
【００４２】
また、上記化粧パネル２４への芳香材２５の取り付けは、この芳香材２５を上記化粧パネル２４へ塗布するものであってもよく、上記芳香材２５の含有フィルムを上記化粧パネル２４に貼着させてもよい。また、上記化粧パネル２４のうち、ランプ２７の照射光２９が照射する部分のみに芳香材２５を取り付けてもよい。
【００４３】
また、上記化粧パネル２４は透明体であってもよく、また、多孔質にすることにより半透明としてもよい。また、上記化粧パネル２４の厚さを大きくするなどして不透明体とし、この化粧パネル２４の外縁部のほぼ全体と車体部材２３との間にランプ２７の照射光２９が漏れる隙間を形成してもよい。このようにすれば、化粧パネル２４の周囲から全体的に漏れる照射光２９により、上記化粧パネル２４の周りを間接照明できる。
【００４４】
また、上記ランプ２７は単数であってもよく、複数であってもよい。この場合、複数のランプ２７のうち、いずれかのランプ２７を選択的に点灯可能とし、これにより、香りの強さを調整するようにしてもよい。また、照射光２９に１／ｆゆらぎをを設けてもよい。
【００４５】
更に、上記ランプ２７にタイマーを設けて、点灯と消灯とを定期的に繰り返すようにしてもよい。このようにすれば、香りに対し乗員の嗅覚が慣れてしまうということが防止される。よって、香りに対する一定の実感が長期にわたり持続可能となる。
【図面の簡単な説明】
【００４６】
【図１】図２の１−１線矢視断面図である。
【図２】車室の斜視図である。
【符号の説明】
【００４７】
１    自動車
２    車体
３    フロントピラー
８    車室
２２  芳香装置
２３  車体部材
２４  化粧パネル
２５  芳香材
２６  空間
２７  ランプ
２８  スイッチ
２９  照射光
３１  化粧パネル
【図１】
2006273210.tif 000003
【図２】
2006273210.tif 000004